(57)【要約】【課題】被処理水に含まれる処理対象物質を迅速かつ高性能に分解処理することができ、さらに処理ユニットの単純化を図った経済的な水処理装置を提供する。【解決方法】被処理水にオゾンガスを溶解させるオゾンガス溶解手段と、過酸化水素水溶液を前記オゾンガスが溶解された被処理水に添加する過酸化水素水溶液添加手段１３と、前記オゾンガス及び過酸化水素水溶液が添加された被処理水が供給されるラインミキサー４と、該ラインミキサー４の流出管路６に設けられた圧力調整弁５と、からなる水処理装置。【選択図】    図１
2004249277.tif 000002
【特許請求の範囲】
【請求項１】
被処理水にオゾンガスを溶解させる工程と、オゾンガスが溶解された被処理水に過酸化水素水溶液を添加する工程と、前記オゾンガスが溶解され過酸化水素水溶液が添加された被処理水をラインミキサーに供給して攪拌混合する工程と、からなることを特徴とする水処理方法。
【請求項２】
前記オゾンガスが溶解された被処理水に対する過酸化水素水溶液の添加をラインミキサーの入口で行うことを特徴とする請求項１に記載の水処理方法。
【請求項３】
前記オゾンガスの溶解を渦流ポンプで行うことを特徴とする請求項１または２記載の水処理方法。
【請求項４】
前記渦流ポンプの吐出圧が０．１〜０．６ＭＰａであることを特徴とする請求項３に記載の水処理方法。
【請求項５】
前記被処理水：オゾンガスの混合比が１００：１〜５：１であることを特徴とする請求項１、２、３または４に記載の水処理方法。
【請求項６】
前記被処理水：過酸化水素水溶液の混合比が１０００：１〜５：１であることを特徴とする請求項１、２、３、４または５に記載の水処理方法。
【請求項７】
処理水の一部を、被処理水にオゾンガスを溶解させる工程の前段に循環させることを特徴とする請求項１、２、３、４、５または６に記載の水処理方法。
【請求項８】
被処理水にオゾンガスを溶解させるオゾンガス溶解手段と、過酸化水素水溶液を前記オゾンガスが溶解された被処理水に添加する過酸化水素水溶液添加手段と、前記オゾンガスが溶解及び過酸化水素水溶液が添加された被処理水が供給されるラインミキサーと、該ラインミキサーの流出管路に設けられた圧力調整弁と、からなることを特徴とする水処理装置。
【請求項９】
前記オゾンガス溶解手段が渦流ポンプであることを特徴とする請求項８に記載の水処理装置。
【請求項１０】
前記圧力調整弁を介して気液分離槽を設けたことを特徴とする請求項８または９に記載の水処理装置。
【請求項１１】
前記気液分離槽から被処理水の供給路に処理水の循環管路が設けられてなることを特徴とする請求項１０に記載の水処理装置。
【請求項１２】
前記気液分離槽から過酸化水素水溶液調整槽に処理水の供給管路が設けられてなることを特徴とする請求項１０または１１に記載の水処理装置。
【発明の詳細な説明】
【０００１】
【発明の属する技術分野】
本発明は、水処理方法及びその装置に関する。
【０００２】
【従来の技術】
オゾンガス及び過酸化水素を利用する水処理は公知である。例えば、過酸化水素を添加した水を反応槽に送水し、反応槽の底部からオゾンガスを吹き込みながらオゾンガスを溶解させ、過酸化水素と接触させることによりヒドロキシラジカルを生成させて水中の有機物を分解する方法が知られている。しかし、この方法では、反応槽内での攪拌効率およびオゾンガスの溶解効率が低いため、オゾンガスと過酸化水素の接触効率が悪く、かつ生成したヒドロキシラジカルと処理対象物質の接触も制限されるものであった。すなわち、オゾンガスと過酸化水素は瞬時に反応するが、そこから生成されるヒドロキシラジカルの寿命は百万分の１秒と言われており、したがって、処理対象物質との接触効率が悪いと自己分解して有効に使われないと言う問題が残されていた。
【０００３】
前記問題を改善する方法として、ラインミキサーを用いて、その手前でオゾンガスと過酸化水素を添加して瞬時に攪拌することによって、ヒドロキシラジカルの生成と有機物の分解を前記ラインミキサー内で行うことが提案されている。これにより、大幅に水中有機物の分解が促進されるが、処理対象物質中にオゾン酸化を受け易い物質、例えば、フェノール基を有する化合物（フェノール、ビスフェノールＡ、ノニルフェノール、アルキルフェノールエトキシレート）などが含まれると、ラインミキサーを用いたオゾン単独添加処理であれば容易に分解できるものが、過酸化水素を同時または前段で添加することによって、該過酸化水素がかえってこれらの物質と拮抗してオゾンを消費してしまうので、処理対象物質の処理効率が低下するものであった。すなわち、オゾンと過酸化水素との反応で生成されるヒドロキシラジカルは、前記のごとく寿命が短いため、全てが処理対象物質の分解に使われるわけではなく、自己分解するものがあるので、オゾンによって容易に酸化される物質が処理対象物質に含まれている場合には向かないものであった。
【０００４】
その他、水のオゾン処理を行ってから、オゾン／過酸化処理することも行われている。たとえば、エジェクターを用いてオゾン含有ガスを添加し、ラインミキサーで攪拌してオゾンを溶解させて水中の易分解性成分を酸化処理し、気液分離した後、過酸化水素を添加して再度エジェクタ−でオゾンを添加してラインミキサーで攪拌して難分解性成分を酸化分解する技術であるが、この技術の実施には、３台のポンプ、２基のエジェクタ−、２台のラインミキサー及び２槽の気液分離槽等、多くの処理ユニットを必要とし、処理工程も複雑になるものであった。さらに、オゾン処理後に気液分離槽を設けて排オゾンガスを一度分離除去するため、その分のオゾンが浪費されることになり、処理コストが高くなる。
【０００５】
さらに、被処理水の流入部に被処理水とオゾンガスとを気液混合する加圧渦流ポンプを配備するとともに、オゾン接触槽内に挿入配置された下方注入管の先端開口部近傍でオゾン接触槽の底壁に対向する部位に形成された急縮部と、該急縮部の上流側に接続された流入管から過酸化水素を送り込む過酸化水素添加装置を備えたオゾン接触槽と、さらに別に反応槽を備えた加圧型注入式オゾン接触槽が提案されている。
【０００６】
【特許文献】
特開平９−２７６８８２号公報
【０００７】
【発明が解決しようとする課題】
本発明は、被処理水に含まれる処理対象物質を迅速かつ高性能で分解処理することができ、さらに処理ユニットの単純化を図った経済的な水処理方法及びその装置を提供することを目的とする。
【０００８】
【課題を解決するための手段】
前記目的達成のため、請求項１の本発明の水処理方法は、被処理水にオゾンガスを溶解させる工程と、オゾンガスが溶解された被処理水に過酸化水素水溶液を添加する工程と、前記オゾンガスが溶解され過酸化水素水溶液が添加された被処理水をラインミキサーに供給して攪拌混合する工程と、からなることを特徴とする。
【０００９】
前記本発明は、被処理水にオゾンガスを溶解させた後、過酸化水素水溶液を添加し、該過酸化水素水溶液の添加により生成されたヒドロキシラジカルが、攪拌効率の優れたラインミキサーに供給して攪拌混合し、前記被処理水に含まれている処理対象物質との接触効率を高めて該処理対象物質の分解を図るものである。なお、好ましくは、前記オゾンガスを溶解させる工程及びラインミキサー内が加圧下の状態に維持される。
【００１０】
請求項２の実施の一形態は、前記オゾンガスが溶解された被処理水に対する過酸化水素水溶液の添加をラインミキサーの入口で行うことを特徴とする請求項１に記載の水処理方法である。すなわち、生成後きわめて寿命の短いヒドロキシラジカルを生成と同時にラインミキサーに供給して攪拌混合し、被処理水に含まれる処理対象物質に接触させてその効率的分解を図るものである。
【００１１】
請求項３の実施の一形態は、前記オゾンガスの溶解を渦流ポンプで行うことを特徴とする請求項１または２に記載の水処理方法である。すなわち、渦流ポンプを採用することにより、被処理水に対するオゾンガスの溶解を効率的に行うことができ、同時に被処理水の供給ポンプを兼ねることができる。
【００１２】
請求項４の実施の一形態は、前記渦流ポンプの吐出圧が０．１〜０．６ＭＰａであることを特徴とする請求項３に記載の水処理方法である。すなわち、被処理水とオゾンガスに所定圧力を加えることによってオゾンガスの溶解効率が高められるものであり、前記渦流ポンプの吐出圧は、後に述べるラインミキサーの流出管路に設けられた圧力調整弁によって制御される。
【００１３】
請求項５の実施の一形態は、前記被処理水：オゾンガスの混合比が１００：１〜５：１であることを特徴とする請求項１、２、３または４に記載の水処理方法である。すなわち、オゾンガスの比率が低すぎるとオゾンガスの溶解量が制限され、逆に高すぎるとポンプの吐出圧が低下し、オゾンガス溶解の効率低下を招くものである。
【００１４】
請求項６の実施の一形態は、前記被処理水：過酸化水素水溶液の混合比が１０００：１〜５：１であることを特徴とする請求項１、２、３、４または５に記載の水処理方法である。すなわち、過酸化水素水溶液の量が少ないとラインミキサー内で均一に混合することが困難であり、逆に多いと処理水の循環量が増えて経済的に好ましくないものである。
【００１５】
請求項７の実施の一形態は、処理水の一部を、被処理水にオゾンガスを溶解させる工程の前段に循環させることを特徴とする請求項１、２、３、４、５または６に記載の水処理方法である。すなわち、処理水の一部を、被処理水にオゾンガスを溶解させる前段で添加することにより、処理効率を高めるものである。
【００１６】
請求項８の本発明の水処理装置は、被処理水にオゾンガスを溶解させるオゾンガス溶解手段と、過酸化水素水溶液を前記オゾンガスが溶解された被処理水に添加する過酸化水素水溶液添加手段と、前記オゾンガス及び過酸化水素水溶液が添加された被処理水が供給されるラインミキサーと、該ラインミキサーからの流出管路に設けられた圧力調整弁と、からなることを特徴とする。
【００１７】
前記水処理装置によれば、前記本発明の水処理方法を有効に実施できる。さらに、圧力調整弁を設けたことにより、前記オゾンガスの溶解及び前記ヒドロキシラジカルの攪拌混合に必要な圧力を自由に選択することができる。
【００１８】
請求項９の実施の一形態は、前記オゾンガス溶解手段が渦流ポンプであることを特徴とする請求項８に記載の水処理装置である。この実施の一形態によれば、渦流ポンプによって、オゾンガスの溶解と、オゾンガスが溶解された被処理水の供給ポンプを兼ねることができ、処理ユニットの単純化を図ることができる。
【００１９】
請求項１０の実施の一形態は、前記圧力調整弁を介して気液分離装置を設けたことを特徴とする請求項８または９に記載の水処理装置である。この実施の一形態によれば、オゾンを含有する排ガスを処理水から分離することができ、さらに気液分離槽に浮遊物回収手段を設けることにより、オゾン及び過酸化水素による処理では除去しきれなかったＳＳ、油分、界面活性剤、さらには疎水性のダイオキシン類等も除去可能となる。
【００２０】
請求項１１の実施の一形態は、前記気液分離槽から被処理水の供給管路に処理水の循環管路が設けられたことを特徴とする請求項１０に記載の水処理装置である。この実施の一形態によれば、処理効率を高めることができ、また、必要に応じて処理水を再処理して被処理水の完全処理が可能である。
【００２１】
請求項１２の実施の一形態は、前記気液分離槽から過酸化水素調整槽に処理水の供給管路が設けられたことを特徴とする請求項１０または１１に記載の水処理装置である。この実施の一形態によれば、過酸化水素水溶液の調整に処理水を利用することができる。
【００２２】
【発明の実施の形態】
以下に、本発明の実施の形態を図について説明する。図１は、本発明の好ましい一実施例を示すブロック図である。
【００２３】
図中、１は被処理水の供給管路、２は前記被処理水にオゾンガスを溶解させるオゾンガス溶解手段であり、好ましい実施の一形態として渦流ポンプが開示されている。３は前記オゾンガス溶解手段２へのオゾンガス供給管路、４は前記オゾンガス溶解手段２によってオゾンガスが溶解された被処理水が供給されるラインミキサー、５はラインミキサー４の流出管路６に設けられた圧力調整弁、７は該圧力調整弁５を介して処理水が供給される気液分離槽、８は処理水を重力で取り出す放流管であり、その上端には、気液分離槽７内が空にならないようにサイフォンブレーカ９が設けられる。もっとも、気液分離槽７内の処理水は処理量を検知するレベルセンサーとポンプを組み合わせて取り出してもよい。
【００２４】
図中、１０は過酸化水素水溶液調整槽であり、攪拌翼１１を有し、濃度が調整された過酸化水素水溶液が充填されている。１２は前記オゾンガスが溶解された被処理水に対して前記過酸化水素水溶液を注入する供給管路であり、好ましい実施の一形態として、濃度調整された前記過酸化水素水溶液を、前記オゾンガスが溶解された被処理水に対して、ラインミキサー４の入口に注入するように設けられている。１３は前記過酸化水溶液添加手段としての渦流ポンプである。
【００２５】
図中、１４は前記気液分離槽７から前記過酸化水素調整槽１０に設けられた処理水の供給管路であり、前記過酸化水素水溶液の調整に処理水を利用できる構成になっている。１５は前記供給管路１４に設けられたポンプ、１６は前記気液分離槽７から前記被処理水の供給管路１に設けられた処理水の循環管路であり、前記気液分離槽７で得られた処理水の一部を必要に応じて、被処理水にオゾンガスを溶解させる工程の前段に循環させることができ、また、再処理できる構成になっている。１７は前記循環管路に１６に設けられたポンプ、１８は排ガス回収処理管路、１９は浮遊物回収処理管路、２０は前記オゾンガス溶解手段（渦流ポンプ）２が停止した時に逆流を防止する逆止弁、２１は過酸化水素調整槽１０への過酸化水素供給管路、２２は過酸化水素水溶液の供給管路に設けられた流量調整弁である。
【００２６】
前記構成の水処理装置では、前記被処理水の供給管路１からの被処理水と、前記オゾンガス供給管路３からのオゾン含有ガスが、前記オゾンガス溶解手段（渦流ポンプ）２に供給されて被処理水に対するオゾンガスの溶解が行われる。
【００２７】
被処理水とオゾンガスの混合比に制限はないが、常圧での容積比で１００：１〜５：１程度が好ましく、オゾンガスの比率が低いとオゾンの添加量が少なくなり、高すぎると渦流ポンプ２の吐出圧が低下し、オゾンの溶解効率の低下につながる。この時の渦流ポンプ２の吐出圧は０．１〜０．６ＭＰａ程度に調整することが好ましく、該吐出圧調整は前記圧力調整弁５の開度によって行う。
【００２８】
また、オゾンガスのオゾン濃度は特に制限されないが、被処理水中の処理対象物質の濃度によって１〜２００ｍｇ／リッター（以下「Ｌ」と記す。）に設定されることが好ましく、具体的には過酸化水素水を添加せずに通水を行い、気液分離槽７から流出する処理水中のオゾン濃度が１．０ｍｇ／Ｌ以上残存するようにオゾン濃度は調整される。なお、渦流ポンプ２の入口側には連成計を、出口には圧力計を設けることで、渦流ポンプ２の吐出圧を把握することができる。
【００２９】
つぎに、前記オゾンガスが溶解された被処理水に、予め濃度調整された過酸化水素水溶液が供給管路１２から注入されて前記ラインミキサー４に供給される。
【００３０】
渦流ポンプ２の出口からラインミキサー４までの配管の長さは、配管内の被処理水滞留時間が０．０１〜６０秒になるように設定することが好ましい。滞留時間が０．０１秒より短いとオゾンによる反応が十分に進まず、６０秒以上であると配管が長くなり過ぎたり、配管の内径が太くなり過ぎて維持管理上の問題が発生する。
【００３１】
なお、好ましくは、前記オゾンガスが溶解された被処理水に対する過酸化水素水溶液の添加は、前記ラインミキサー４の入口において行われる。
【００３２】
そして前記オゾンガスが溶解された被処理水に対して過酸化水素水溶液が添加されてヒドロキシラジカルが生成され、生成されたヒドロキシラジカルが前記ラインミキサー４によって攪拌混合され、被処理水に含まれている処理対象物質の分解が行われる。
【００３３】
調整された過酸化水素水溶液の添加量は、被処理水と過酸化水素水溶液の比が１０００：１〜５：１程度が好ましく、過酸化水素水溶液の添加量が少ないとラインミキサー４内で均一に混合することが困難となり、多過ぎると処理水の循環量が多くなるため好ましくない。過酸化水素水溶液の濃度や添加量は、気液分離槽７から流出する処理水中のオゾン濃度が０．０１〜０．５ｍｇ／Ｌ、特に好ましくは、０．０２〜０．３ｍｇ／Ｌとなるように調整することが好ましい。なお、過酸化水素水溶液の供給には吐出圧が高く流量変化の少ない渦流ポンプ１３が好ましいが、特に限定されるものではない。
【００３４】
その後、主要処理を終えた被処理水が前記ラインミキサー４の流出管路６及び前記圧力調整弁５を介して前記気液分離槽７に供給される。該気液分離槽７における滞留時間は、０．５〜１０分、特に１〜５分が好ましい。短すぎると十分に気液分離が行われないとともに処理水中に残留するオゾン濃度が高くなり、長すぎると装置が大きくなり省スペース化が図れなくなる。
【００３５】
そして該気液分離槽７において処理水の気液分離が行われ、処理液が前記放流管８から放流等され、残留ガス等の気体分が前記排ガス回収処理管路１８を介して回収処理され、ＳＳ、油分、界面活性剤等の浮遊不純物が前記浮遊物回収処理管路１９を介して回収処理される。
【００３６】
前記回収処理された浮遊不純物は、被処理水と混合して再処理を行ってもよいし、別途設けた生物処理装置や脱水機等によって処理してもよい。なお、本実施例では、被処理水は一段で処理されているが、本発明の水処理装置を複数段直列に設けることによって多段に構成してもよい。
【００３７】
【実施例】
以下に前記水処理装置を用い、下記条件で通水試験を行った。
【００３８】
被処理水：水道水１Ｌに対し、２ｍｇの亜硫酸ナトリウムを添加して残留塩素を除去し、これに処理対象物質を所定量添加した。
被処理水流量        ：１５Ｌ／ｍｉｎ
オゾン含有ガス流量  ：１．５Ｌ／ｍｉｎ（常圧）
ガス中オゾン濃度    ：３０ｍｇ／Ｌ（空気から製造）
オゾン溶解渦流ポンプ：株式会社ニクニ  Ｍ２０ＮＰＤ０４Ｓ
吐出圧              ：０．４ＭＰａ
過酸化水素調整液流量：１．５Ｌ／ｍｉｎ（処理水を希釈水として用い、希釈水１Ｌに対して３５％過酸化水素水溶液を６μ１添加。添加濃度２．４ｍｇ／Ｌ）
過酸化水素調整液送液用渦流ポンプ：オゾン溶解に用いたものと同じポンプを用いた。ただし、ガス吸引口は封鎖し、送液目的に使用した。本ポンプでの最低流量が１０Ｌ／ｍｉｎ（吐出圧０．６ＭＰａのとき）であったため、実験の便宜上気液分離槽の処理水を用いて１０Ｌ／ｍｉｎの過酸化水素水溶液を調整し、うち１．５Ｌ／ｍｉｎのみを反応系に添加し、残りは廃棄した。
気液分離槽滞留時間  ：１ｍｉｎ
処理水量：１６．５Ｌ／ｍｉｎ  うち、実験便宜上１０Ｌ／ｍｉｎ分を過酸化水素調整液製造用に再利用し、残部は被処理水の供給管路１に循環させることなく全量処理水として系外へ排出した。
ラインミキサー：正華産業  ＯＨＲ  ラインミキサー  ＭＸ−１０フロート型１６．５Ｌ／ｍｉｎ
被処理水：ｐＨ７．０
測定方法：オゾン濃度：検水をガラスビーカに採取後、ただちにＨＡＣＨ  Ｃｏｍａｎｙ  ＡｃｃｕＶａｃ  Ａｎｐｕｌｓ＋Ｐｏｃｋｅｔ  Ｃｏｌｏｒｉｍｅｔｅｒにてオゾン濃度を測定した。
処理対処物質濃度：検水をガラス瓶に１Ｌ採取後、直ちに０．１ｇの亜硫酸ナトリウムを添加して残存するオゾンを分解した後、各分析手段にて処理対象物質の濃度を測定した。
【００３９】
【実施例１】
非イオン系界面活性剤のノニルフェノールエトキシレートを添加した被処理水について通水試験を実施した。被処理水のノニルフェノールエトキシレート濃度は７．９ｍｇ／Ｌであった（タケダＡＰＥ  ＥＬＬＳＡ  ＫＩＴで測定）。通水試験結果は下記表１の通りである。
【００４０】
【表１】
2004249277.tif 000003
【００４１】
この処理対象物質では、オゾンガス単独処理した比較例２が、オゾンガス溶解前に過酸化水素水溶液を添加した比較例３よりも処理効率が高かった。ノニルフェノールエトキシレートはオゾンガスによって迅速に酸化される。過酸化水素を添加してからオゾンガス添加してもヒドロキシラジカルが発生するが、全てがノニルフェノールエトキシレートに作用するわけではなく、自己分解などが起きたため、ヒドロキシラジカルが有効に活用されなかったものと考えられる。よって、オゾン溶解前に添加した過酸化水素は、ノニルフェノールのオゾン分解の阻害物質になったものと考えられる。本発明が提案する、オゾンガス溶解後に過酸化水素水溶液を添加する実施例１が前記比較例２よりもさらに良好な結果を示した。なお、オゾンガスの代わりに空気を添加した比較例１は、加圧浮上効果による界面活性剤の泡沫分離によって処理水中の濃度が低減されたが除去率は低かった。
【００４２】
【実施例２】
１，４−ジオキサンを添加した被処理水について通水試験を実施した。
【００４３】
被処理水中の１，４−ジオキサン濃度は５０μｇ／Ｌであった（ＧＣ／ＭＳで測定）。通水試験結果は下記表２の通りである。
【００４４】
【表２】
2004249277.tif 000004
【００４５】
この処理対象物質では、オゾンガス単独で処理した比較例５の場合よりも、オゾンガス溶解前に過酸化水素水溶液を添加した比較例６が高い処理効率が得られた。１，４−ジオキサンもオゾンガスによって迅速に酸化されるが、ノニルフェノールエキシトレートに比べ分解性は低い。オゾンガス添加前に過酸化水素水溶液を添加し、ヒドロキシラジカルを発生させて反応させることで、さらに分解を促進できることが判明した。ヒドロキシラジカルは全てが１，４−ジオキサンに作用するわけではなく、自己分解などによって消滅したと考えられるが、被処理水中の１，４−ジオキサンの濃度が低かったため、自己分解してもなお１，４−ジオキサンに対して過剰量のヒドロキシラジカルを接触させることができたものと考えられる。本発明が提案する、オゾンガス溶解後に過酸化水素水溶液を添加する実施例２が前記比較例６よりさらに良好な結果が得られた。過酸化水素との反応で生成するヒドロキシラジカルで反応が促進されたためと考えられる。オゾンガスの代わりに空気を吹き込んだ比較例４ではほとんど１，４−ジオキサン濃度に変化は見られなかった。
【００４６】
【実施例３】
ノニルフェノールエキシトレートと１，４−ジオキサンの両方を添加した被処理水について通水試験を実施した。被処理水中のノニルフェノールエキシトレート濃度および１，４−ジオキサン濃度はそれぞれ８０ｍｇ／Ｌおよび５０μｇ／Ｌであった。通水試験結果は下記表３の通りである。
【００４７】
【表３】
2004249277.tif 000005
【００４８】
両処理目的物質ともオゾンガス単独で処理した比較例８の方が、オゾンガス溶解前に過酸化水素水溶液を添加した比較例９の方よりも処理効率が得られた。１，４−ジオキサンはオゾンガスによって迅速に酸化されるが、ノニルフェノールエトキシレートに比べ分解性は低い。本発明が提案する、オゾンガス添加後に過酸化水素水溶液を添加する実施例３が、ヒドロキシラジカルを発生させて反応させることで、まずはノニルフェノールエトキシレートのようなオゾンガスで容易に酸化される物質を分解でき、さらに渦流ポンプ出口の残存オゾンガスと過酸化水素水溶液を接触させることで１，４−ジオキサンのような比較的難分解性の有機物を酸化分解できることが判明した。オゾンガス単独添加の比較例８においても、さらにオゾンガス添加前における過酸化水素水溶液を添加する比較例９においても１，４−ジオキサンの分解性能は低かった。オゾンガスの代わりに空気を吹き込んだ比較例７についてもノニルフェノールエトキシレート濃度で僅かな濃度低下が見られただけで、１，４‐ジオキサン濃度にはほとんど変化がみられなかった。
【００４９】
【実施例４】
前記水処理装置を用い、下記条件で井水について通水試験を行った。
【００５０】
被処理水：一昼夜空気曝気した井水に１，４−ジオキサンを５０μｇ／Ｌになるように添加した。
被処理水＋循環水流量：７５Ｌ／ｍｉｎ＋７５Ｌ／ｍｉｎ（（株）ニクニ、ポンプ吐出圧０．３８ＭＰａ
オゾン含有ガス流量：１５Ｌ／ｍｉｎ
ガス中オゾン濃度：１００ｍｇ／Ｌ（酸素から製造）
過酸化水素水溶液流量：１５Ｌ／ｍｉｎ（処理水を希釈水として用い、希釈水１Ｌに対して３５％過酸化水素水溶液を６μ１添加）。添加濃度２．４ｍｇ／Ｌ
過酸化水素水溶液通水量：１５Ｌ／ｍｉｎ（（株）ニクニ、ポンプ吐出圧０．５ＭＰａ
気液分離槽滞留時間：１ｍｉｎ
通水試験結果は下記表４の通りである。
【００５１】
【表４】
2004249277.tif 000006
【００５２】
表中、実施例４は、図２に示すごとく、前記被処理水にオゾンガスを溶解させる工程の前段において、処理水の一部の７５Ｌ／ｍｉｎを、前記被処理水７５Ｌ／ｍｉｎに添加し、計１５０Ｌ／ｍｉｎの混合水のオゾンガスおよび過酸化水素処理を行った場合である。
【００５３】
また、比較例１０は、図３に示すごとく、前記のごとく被処理水に処理水の添加を行わず、被処理水１５０Ｌ／ｍｉｎをオゾンガスおよび過酸化水素処理を行った場合である。
【００５４】
前記実施例４および比較例１０のオゾンガスおよび過酸化水素処理後の処理水に含まれる１，４−ジオキサン濃度（μｇ／Ｌ）を測定した結果、井水中にはフミン質など、オゾンやヒドロキシラジカルを含むためか、模規水を用いた前記実施例１〜３と比較して処理効率は低下したが、実施例４、比較例１０ともに１，４−ジオキサン濃度低減が見られた。
【００５５】
さらに、前記実施例４の場合が、前記比較例１０に比べてきわめて処理効率が高いことが判明した。すなわち、処理水の一部を、被処理水にオゾンガスを溶解させる工程の前段に循環させると好ましい結果が得られることが確認されたものである。
【００５６】
【発明の効果】
本発明によれば、被処理水に含まれる処理対象物質を迅速かつ高性能に分解処理することができ、さらに処理ユニットもきわめて単純化され、経済的である効果が得られる。
【図面の簡単な説明】
【図１】本発明の水処理装置の一実施例を示すブロック図である。
【図２】本発明の水処理装置の一処理形態を示すブロック図である。
【図３】本発明の水処理装置の一処理形態を示すブロック図である。
【符号の説明】
２    オゾンガス溶解手段
４    ラインミキサー
５    圧力調整弁
６    処理水管路
７    気液分離槽
１３  過酸化水素水溶液添加手段
１４  処理水の供給管路
１６  処理水の循環管路
【図１】
2004249277.tif 000007
【図２】
2004249277.tif 000008
【図３】
2004249277.tif 000009
【手続補正書】
【提出日】平成15年5月20日(2003.5.20)
【手続補正１】
【補正対象書類名】図面
【補正対象項目名】図１
【補正方法】変更
【補正の内容】
【図１】
2004249277.tif 000010
【手続補正２】
【補正対象書類名】図面
【補正対象項目名】図２
【補正方法】変更
【補正の内容】
【図２】
2004249277.tif 000011